(57)【要約】【課題】コンテンツ情報の再生が経路案内によって分断されるのを抑制することができるようにする。【解決手段】経路探索処理手段と、コンテンツ情報を再生する情報再生処理手段と、コンテンツ情報の再生中において、優先度の高い案内音声について、車両が案内音声出力地点に到達したときに出力する第１の案内音声出力処理手段と、コンテンツ情報の再生中において、優先度の低い案内音声について、車両が案内音声出力地点に到達する前に先行して出力する第２の案内音声出力処理手段とを有する。優先度の低い案内音声について、車両が案内音声出力地点に到達する前に先行して出力される。【選択図】図１
2005181205.tif 000002
【特許請求の範囲】
【請求項１】
所定の探索条件に従って経路を探索する経路探索処理手段と、コンテンツ情報を再生する情報再生処理手段と、コンテンツ情報の再生中において、優先度の高い案内音声について、車両が案内音声出力地点に到達したときに出力する第１の案内音声出力処理手段と、コンテンツ情報の再生中において、優先度の低い案内音声について、車両が案内音声出力地点に到達する前に先行して出力する第２の案内音声出力処理手段とを有することを特徴とする情報再生システム。
【請求項２】
前記第２の案内音声出力処理手段は、第１の案内音声出力処理手段による案内音声が出力されるときに優先度の低い案内音声を出力する請求項１に記載の情報再生システム。
【請求項３】
前記第２の案内音声出力処理手段は、優先度の高い案内音声が出力される次の案内音声出力地点より手前に、優先度の低い案内音声が出力される案内音声出力地点がある場合に優先度の低い案内音声を出力する請求項２に記載の情報再生システム。
【請求項４】
前記第２の案内音声出力処理手段は、コンテンツ情報の区切りが検出されたときに優先度の低い案内音声を出力する請求項１に記載の情報再生システム。
【請求項５】
前記第２の案内音声出力処理手段は、優先度の低い案内音声が出力される案内音声出力地点が、所定の距離以内にあるときに優先度の低い案内音声を出力する請求項３又は４に記載の情報再生システム。
【請求項６】
前記優先度は、案内音声を出力して警告する必要性を表す警告必要度、及び案内音声を出力して経路を案内する必要性を表す案内必要度に基づいて設定される請求項１〜５のいずれか１項に記載の情報再生システム。
【請求項７】
コンピュータを、所定の探索条件に従って経路を探索する経路探索処理手段、コンテンツ情報を再生する情報再生処理手段、コンテンツ情報の再生中において、優先度の高い案内音声について、車両が案内音声出力地点に到達したときに出力する第１の案内音声出力処理手段、及びコンテンツ情報の再生中において、優先度の低い案内音声について、車両が案内音声出力地点に到達する前に先行して出力する第２の案内音声出力処理手段として機能させることを特徴とする情報再生方法のプログラム。
【発明の詳細な説明】
【技術分野】
【０００１】
本発明は、情報再生システム及び情報再生方法のプログラムに関するものである。
【背景技術】
【０００２】
従来、ナビゲーション装置と情報センタとをネットワークを介して接続することによって形成されたナビゲーションシステムにおいては、経路探索処理によって経路が探索され、経路案内処理によって、探索された経路、すなわち、探索経路に従って経路が案内されるようになっている。
【０００３】
また、前記ナビゲーションシステムにおいては、車両を走行させている間に、情報センタを情報基地とし、所定のコンテンツ配信業者から配信されたニュース等のマルチメディアコンテンツの情報、すなわち、コンテンツ情報を受信し、再生することができるようになっている（例えば、特許文献１参照。）。
【特許文献１】特開２００３−１２１１８７号公報
【発明の開示】
【発明が解決しようとする課題】
【０００４】
しかしながら、前記従来のナビゲーションシステムにおいては、コンテンツ情報を再生している間に、経路案内による案内音声の出力があると、コンテンツ情報の再生が分断されてしまう。
【０００５】
本発明は、前記従来のナビゲーションシステムの問題点を解決して、コンテンツ情報の再生が経路案内によって分断されるのを抑制することができる情報再生システム及び情報再生方法のプログラムを提供することを目的とする。
【課題を解決するための手段】
【０００６】
そのために、本発明の情報再生システムにおいては、所定の探索条件に従って経路を探索する経路探索処理手段と、コンテンツ情報を再生する情報再生処理手段と、コンテンツ情報の再生中において、優先度の高い案内音声について、車両が案内音声出力地点に到達したときに出力する第１の案内音声出力処理手段と、コンテンツ情報の再生中において、優先度の低い案内音声について、車両が案内音声出力地点に到達する前に先行して出力する第２の案内音声出力処理手段とを有する。
【０００７】
本発明の他の情報再生システムにおいては、さらに、前記第２の案内音声出力処理手段は、第１の案内音声出力処理手段による案内音声が出力されるときに優先度の低い案内音声を出力する。
【０００８】
本発明の更に他の情報再生システムにおいては、さらに、前記第２の案内音声出力処理手段は、優先度の高い案内音声が出力される次の案内音声出力地点より手前に、優先度の低い案内音声が出力される案内音声出力地点がある場合に優先度の低い案内音声を出力する。
【０００９】
本発明の更に他の情報再生システムにおいては、さらに、前記第２の案内音声出力処理手段は、コンテンツ情報の区切りが検出されたときに優先度の低い案内音声を出力する。
【００１０】
本発明の更に他の情報再生システムにおいては、さらに、前記第２の案内音声出力処理手段は、優先度の低い案内音声が出力される案内音声出力地点が、所定の距離以内にあるときに優先度の低い案内音声を出力する。
【００１１】
本発明の更に他の情報再生システムにおいては、さらに、前記優先度は、案内音声を出力して警告する必要性を表す警告必要度、及び案内音声を出力して経路を案内する必要性を表す案内必要度に基づいて設定される。
【００１２】
本発明の情報再生方法のプログラムにおいては、コンピュータを、所定の探索条件に従って経路を探索する経路探索処理手段、コンテンツ情報を再生する情報再生処理手段、コンテンツ情報の再生中において、優先度の高い案内音声について、車両が案内音声出力地点に到達したときに出力する第１の案内音声出力処理手段、及びコンテンツ情報の再生中において、優先度の低い案内音声について、車両が案内音声出力地点に到達する前に先行して出力する第２の案内音声出力処理手段として機能させる。
【発明の効果】
【００１３】
本発明によれば、優先度の高い案内音声について、車両が案内音声出力地点に到達したときに出力され、優先度の低い案内音声について、車両が案内音声出力地点に到達する前に先行して出力されるので、コンテンツ情報の再生が経路案内によって分断されるのを抑制することができる。
【発明を実施するための最良の形態】
【００１４】
以下、本発明の実施の形態について図面を参照しながら詳細に説明する。
【００１５】
図１は本発明の第１の実施の形態におけるナビゲーションシステムを示すブロック図、図２は本発明の第１の実施の形態におけるナビゲーション装置を示すブロック図である。
【００１６】
図において、６１は利用者端末としてのパソコン、６２は情報提供者としての情報センタであり、前記パソコン６１、情報センタ６２等はネットワーク４３を介して接続される。
【００１７】
そして、前記情報センタ６２は、サーバ６３、該サーバ６３に接続され、ナビゲーション情報を表すナビデータを記録する記録部としてのデータベース（ＤＢ）６４等を備え、所定のプロバイダのサーバに、ナビデータのほかに各種の情報を提供するためのサイトを開設する。
【００１８】
また、前記情報センタ６２は、交通情報提供者としての交通情報送信センタ、例えば、図示されないＶＩＣＳ（登録商標）（道路交通情報通信システム：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センタから送信された渋滞情報、規制情報、駐車場情報、交通事故情報、サービスエリアの混雑状況等の各情報から成る交通情報のほかに、ニュース、天気予報等の一般情報、メール等の個人情報を受信したり、他の情報提供者としての放送局、コンテンツ配信業者等から配信されたテレビ番組等を構成する画像情報、音楽番組等を構成する音楽情報等のコンテンツ情報を受信したりすることができるようになっていて、前記交通情報、一般情報、個人情報、コンテンツ情報等の各種の情報を、テキストデータ、音声データ、画像データ等のデータ形式で、そのままネットワーク４３を介してパソコン６１又はナビゲーション装置１４に送ったり、一旦（いったん）データベース６４に記録した後、ネットワーク４３を介してパソコン６１又はナビゲーション装置１４に送ったりすることができるようになっている。
【００１９】
また、前記ネットワーク４３としては、インターネットが使用されるが、インターネットのほかに、無線又は有線のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、携帯電話回線網、電話回線網、公衆通信回線網、専用通信回線網等の通信システムを使用したり、ＣＳ放送、ＢＳ放送、地上波ディジタルテレビ放送、ＦＭ多重放送等を利用する通信システムを使用したり、高度道路交通システム（ＩＴＳ）において利用されるノンストップ自動料金支払いシステム（ＥＴＣ）、狭域通信システム（ＤＳＲＣ）等の通信システムを使用したりすることもできる。
【００２０】
前記サーバ６３は、制御装置としての図示されないＣＰＵ、ＭＰＵ等を備えるとともに、図示されないＲＡＭ、ＲＯＭ、フラッシュメモリ等が内蔵されるほかに、記録媒体として磁気ディスク、例えば、図示されないハードディスクが配設される。
【００２１】
また、前記データベース６４には、ナビデータとして、地図を表示するための地図データ、各交差点に関する交差点データ、ノード点に関するノードデータ、道路に関する道路データ、経路を探索するための探索データ、各種の施設に関する施設データがそれぞれ記録される。なお、前記道路データにおいては、道路属性について、国道、県道、細街路等の一般道のほか、高速道路、都市高速道路、有料道路等の高速・有料道を表すデータが含まれる。
【００２２】
そして、前記サーバ６３は、前記交通情報、一般情報等を受信し、一次情報としてデータベース６４に記録したり、前記一次情報を加工して統計処理を施し、渋滞状況の履歴を表す履歴情報、渋滞状況を予測する渋滞予測情報等を構成する統計データを作成し、該統計データを二次情報としてデータベース６４に記録したりする。なお、前記統計データを作成するに当たり、必要に応じて、前記履歴情報に、日時、曜日、天候、各種イベント、季節、施設情報等の詳細な条件が加えられたり、一般情報等が参照されたりする。
【００２３】
また、前記パソコン６１は、操作者の基準地点、例えば、自宅に設置され、制御装置としてのＣＰＵ７１、操作者に各種の情報を通知するための出力装置としての表示部７２、操作部７３、記録部としての記録装置７４、通信部７５等を備える。なお、通信部７５には、パソコン６１を情報センタ６２と接続するための図示されないモデム、パソコン６１を通信部３８を介してナビゲーション装置１４と無線ＬＡＮで接続するための図示されないアクセスポイント等が含まれる。
【００２４】
本実施の形態においては、利用者端末としてパソコン６１が使用されるが、該パソコン６１に代えてホームサーバを使用したり、電子手帳、携帯電話、携帯端末、ＰＤＡ（個人用携帯情報端末）、テレビ電話、ゲーム機等の各種の端末装置を使用したりすることができる。
【００２５】
また、本実施の形態においては、制御装置としてＣＰＵ７１が使用されるが、ＣＰＵ７１に代えてＭＰＵ等を使用することもできる。そして、前記表示部７２としては、ＣＲＴディスプレイ、液晶ディスプレイ、プラズマディスプレイ等のディスプレイを使用することができる。また、操作部７３としては、キーボード、マウス等のほかに、バーコードリーダ、遠隔操作用のリモートコントロール装置、ジョイスティック、ライトペン、スタイラスペン等の操作部材を使用することができる。また、表示部７２を操作部として機能させ、前記ディスプレイに形成されたタッチパネルを使用することもでき、該タッチパネルにおいては、ディスプレイに各種のキー、スイッチ、ボタン等の操作部領域が形成され、該操作部領域をタッチ（押下）することによって入力を行うことができる。
【００２６】
前記記録装置７４には、ＲＡＭ、ＲＯＭ、フラッシュメモリ等の内部記憶装置が内蔵されるほかに記録媒体として磁気ディスク、例えば、ハードディスクが配設される。なお、該ハードディスクに代えて、フレキシブルディスク、磁気テープ、磁気ドラム、ＣＤ−ＲＯＭ、ＣＤ−Ｒ、ＭＤ、ＤＶＤ、光ディスク、ＭＯ、ＩＣカード、光カード、メモリカード等の記録媒体を使用することもできる。そして、前記ハードディスクを使用するためには、記録装置７４に、ハードディスクに記録されたデータを読み出すための読出装置、及びハードディスクにデータを記録するための書込装置が配設される。
【００２７】
また、前記ナビゲーション装置１４は、移動端末装置として、かつ、車両に搭載された車載装置として機能し、、人工衛星において発生させられた電波を受信することによって、車両の位置、すなわち、自車位置を表す現在地等を検出する現在地検出部としてのＧＰＳセンサ１５、地図データ、道路データ、探索データ等のナビデータのほかに各種のデータが記録される記録部としてのデータ記録部１６、各種のプログラム、データ等に基づいて各種の演算処理を行うナビゲーション処理部１７、自車方位を検出する方位検出部としての方位センサ１８、運転者が操作することによって所定の入力を行うための第１の入力部としての操作部３４、図示されない画面に表示された画像によって各種の表示を行い、運転者に通知するための第１の出力部としての表示部３５、音声によって所定の入力を行うための第２の入力部としての音声入力部３６、案内音声によって運転者に通知するための第２の出力部としての音声出力部３７、送受信部としての前記通信部３８を備え、前記ナビゲーション処理部１７に、操作部３４、表示部３５、音声入力部３６、音声出力部３７及び通信部３８が接続される。また、前記ナビゲーション処理部１７には、車速検出部としての車速センサ３９も接続される。
【００２８】
なお、本実施の形態においては、移動用端末装置としてナビゲーション装置１４が使用されるが、該ナビゲーション装置１４に代えて、前述された各種の端末装置を使用することができる。
【００２９】
前記データ記録部１６には、記録媒体として磁気ディスク、例えば、ハードディスクが配設される。なお、該ハードディスクに代えて、前述されたような他の記録媒体を使用することができる。また、前記ハードディスクを使用するために、データ記録部１６に前述されたような読出装置及び書込装置が配設される。
【００３０】
前記ナビゲーション処理部１７は、ナビゲーション装置１４の全体の制御を行う制御装置としてのＣＰＵ３１、該ＣＰＵ３１が各種の演算処理を行うに当たってワーキングメモリとして使用されるＤＲＡＭ、ＳＲＡＭ、ＭＲＡＭ、ＦｅＲＡＭ等のＲＡＭ３２、各種のプログラムが記録されたＲＯＭ３３、図示されないフラッシュメモリ等を備える。
【００３１】
ところで、前記ＲＯＭ３３に各種のプログラムを記録し、前記データ記録部１６に各種のデータを記録することができるが、プログラム、データ等を前記ハードディスクに記録することもできる。この場合、ハードディスクから前記プログラム、データ等を読み出して前記フラッシュメモリに書き込むことができる。したがって、ハードディスクを交換することによって前記プログラム、データ等を更新することができる。また、車両に搭載された図示されない自動変速機の制御を行うために自動変速機制御装置が搭載されている場合には、該自動変速機制御装置の制御用のプログラム、データ等も前記ハードディスクに記録することができる。さらに、通信部３８を介して前記プログラム、データ等を受信し、フラッシュメモリに書き込むこともできる。
【００３２】
また、音声入力部３６としては、マイクロホン等を使用することができ、音声出力部３７としては、音声合成装置及びスピーカを使用することができ、音声合成装置によって合成された音声で所定の情報が出力される。なお、音声合成装置によって合成された音声のほかに、各種の音、あらかじめテープ、メモリ等に録音された所定の情報を出力することもできる。
【００３３】
前記通信部３８は、前記道路交通情報センタから送信された各種の情報を、道路に沿って配設された電波ビーコン装置、光ビーコン装置等を介して電波ビーコン、光ビーコン等として受信するためのビーコンレシーバ、ＦＭ放送局を介してＦＭ多重放送として受信するためのＦＭ受信機等を備える。そして、前記ビーコンレシーバによって交通情報を受信したり、前記ＦＭ受信機によって前記交通情報のほかに一般情報をＦＭ多重情報として受信したりすることができる。
【００３４】
さらに、前記通信部３８は、ネットワーク４３、情報センタ６２等を介して交通情報、一般情報等を取得したり、情報センタ６２を情報基地として、インターネットを介してプロバイダのホームページにアクセスし、個人情報、コンテンツ情報等を取得することができる。その場合、前記通信部３８と情報センタ６２とは図示されないアクセスポイント、インターネット等を介して接続される。なお、前記通信部３８は、現在地検出部としても機能し、電波ビーコン、光ビーコン等によって位置情報を受信して現在地を検出する。
【００３５】
そして、ナビゲーション装置１４とパソコン６１とは、双方向の通信を行うことができるように無線ＬＡＮによって接続され、そのために、前述されたように前記通信部７５にアクセスポイントが配設されるとともに、前記通信部３８にＰＣＭＣＩＡスロット、ＰＣカードスロット等の図示されないスロットが形成され、該スロットに無線カードが挿入される。なお、本実施の形態においては、ナビゲーション装置１４とパソコン６１とは無線ＬＡＮによって接続されるようになっているが、他の実施の形態においては、ナビゲーション装置１４とパソコン６１とが有線ＬＡＮによって接続される。その場合、前記通信部７５に図示されないハブが配設され、該ハブと通信部３８とがケーブルによって着脱自在に連結される。前記ナビゲーション装置１４、ネットワーク４３、パソコン６１、情報センタ６２等によって、ナビゲーションシステムが構成される。
【００３６】
なお、前記ＣＰＵ３１、７１、パソコン６１、サーバ６３、前記プロバイダのサーバ、ナビゲーション処理部１７等は、それぞれ独立して、又は二つ以上を組み合わせて、所定のプログラム、データ等に基づいてコンピュータとして機能する。
【００３７】
次に、前記構成のナビゲーションシステムを情報再生システムとして使用した場合の動作について説明する。
【００３８】
図３は本発明の第１の実施の形態における情報再生システムの動作を示すフローチャート、図４は本発明の第１の実施の形態における案内音声の優先度を設定する基準を示す図、図５は本発明の第１の実施の形態における案内音声の優先度テーブルを示す図、図６は本発明の第１の実施の形態における経路案内方法を示す図である。
【００３９】
まず、操作者が、例えば、パソコン６１（図１）において、操作部７３を操作して出発地及び目的地を入力すると、ＣＰＵ７１の図示されない探索条件設定処理手段は、探索条件設定処理を行い、出発地及び目的地を探索条件として設定し、該探索条件を情報センタ６２に送信する。
【００４０】
なお、前記利用者端末として、パソコン６１に代えて、例えば、ＰＤＡを使用する場合は、ＰＤＡのＰＣＭＣＩＡスロット、ＰＣカードスロット等のスロットにＧＰＳカードをセットし、該ＧＰＳカードによって検出された現在地を出発地として設定することもできる。
【００４１】
そして、情報センタ６２において、図示されない通信部によって探索条件が受信されると、サーバ６３の図示されない経路探索情報取得処理手段は、経路探索情報取得処理を行い、データベース６４から探索データ及び統計データを読み出し、交通情報送信センタから送信された交通情報を読み込むことによって経路を探索するために必要な情報を取得する。
【００４２】
続いて、前記サーバ６３の図示されない探索処理手段は、探索処理を行い、前記探索条件に従って、探索データ、統計データ、交通情報等に基づいて経路を探索する。
【００４３】
そして、前記探索処理手段によって経路が探索されると、前記サーバ６３の図示されない送信処理手段は、送信処理を行い、探索経路を表す経路データ、探索経路の周辺の地図を表す地図データ、音声出力部３７（図２）によって探索経路を案内するための音声出力データ等を、経路案内用の情報を表す経路案内データとしてパソコン６１に送信する。
【００４４】
本実施の形態において、前記探索処理手段は、探索データ、統計データ、交通情報等に基づいて経路を探索するようになっているが、他の実施の形態においては、探索データだけに基づいて経路を探索する。その場合、前記送信処理手段は、探索経路を表す経路データを経路案内データとしてパソコン６１に送信する。
【００４５】
また、本実施の形態において、前記音声出力データについては、情報センタ６２からパソコン６１に送信するようになっているが、他の実施の形態においては、ナビゲーション装置１４のデータ記録部１６にあらかじめ音声出力データが記録される。その場合、音声出力データを経路案内データとしてパソコン６１に送信する必要はない。
【００４６】
そして、前記送信処理手段によって前記経路案内データが送信されると、パソコン６１において、ＣＰＵ７１の図示されない受信処理手段は、受信処理を行い、経路案内データを受信し、続いて、ＣＰＵ７１の図示されない記録処理手段は、記録処理を行い、前記経路案内データを記録装置７４のハードディスクにダウンロードし、記録する。
【００４７】
このようにして、経路案内データが記録された後、操作者である運転者が、車両のイグニッションスイッチをオンにすると、ナビゲーション装置１４の電源がオンになり、情報再生システムを起動する。続いて、ＣＰＵ７１の図示されないデータ転送処理手段は、データ転送処理を行い、前記記録装置７４のハードディスクから経路案内データを読み出し、ナビゲーション装置１４に送信する。これに伴って、ナビゲーション装置１４において、ＣＰＵ３１の図示されない記録処理手段は、記録処理を行い、経路案内データを、例えば、前記フラッシュメモリに記録する。
【００４８】
なお、ナビゲーション装置１４の電源がオンにされるのに伴って、ＧＰＳセンサ１５によって現在地が検出されるとともに、方位センサ１８によって自車方位が検出される。
【００４９】
次に、前記ＣＰＵ３１の図示されない経路案内処理手段は、経路案内処理を行い、前記フラッシュメモリから経路案内データを読み出し、該経路案内データに基づいて、表示部３５に地図画面を形成し、該地図画面に、現在地、現在地の周辺の地図及び自車方位を表示するとともに、現在地の周辺の探索経路を表示し、かつ、音声出力部３７によって探索経路を案内する案内音声を出力して、経路案内を行う。すなわち、探索経路上において経路案内の対象となる地点、すなわち、案内地点が設定され、該案内地点より手前の複数箇所に設定された案内音声出力地点に車両が到達すると、前記案内音声出力地点に対応する案内音声が出力される。
【００５０】
したがって、運転者は、前記地図画面に表示された探索経路、又は出力された案内音声に従って車両を走行させることができる。
【００５１】
なお、操作者が、パソコン６１において出発地及び目的地を入力しない場合には、情報センタ６２において探索処理は行われず、サーバ６３の前記送信処理手段は、地図データだけをパソコン６１に送信し、該パソコン６１において、データ転送処理手段は、地図データだけをナビゲーション装置１４に転送する。そして、ナビゲーション装置１４において、ＣＰＵ３１の図示されない表示処理手段は、表示処理を行い、表示部３５に地図画面を形成し、該地図画面に現在地、現在地の周辺の地図及び自車方位を表示する。また、前記パソコン６１からナビゲーション装置１４に地図データを転送することなく、データ記録部１６にあらかじめ地図データを記録しておくこともできる。
【００５２】
また、前述されたように、パソコン６１において、操作者が操作部７３を操作し、情報センタ６２から交通情報、一般情報を取得したり、情報センタ６２を情報基地として、インターネットを介してプロバイダのホームページにアクセスし、個人情報、コンテンツ情報等を取得したりすることができるが、その場合、情報センタ６２において、前記送信処理手段が前記交通情報、一般情報、個人情報、コンテンツ情報等の各種の情報を配信情報として送信すると、パソコン６１において、ＣＰＵ７１の前記受信処理手段は、配信情報を受信し、続いて、ＣＰＵ７１の前記記録処理手段は、記録処理を行い、前記配信情報を記録装置７４のハードディスクにダウンロードし、記録する。
【００５３】
このようにして、配信情報が記録された後、運転者が、車両のイグニッションスイッチをオンにすると、前述されたように、ＣＰＵ７１の前記データ転送処理手段は、前記記録装置７４のハードディスクから配信情報を読み出し、ナビゲーション装置１４に送信する。これに伴って、ナビゲーション装置１４において、ＣＰＵ３１の前記記録処理手段は、配信情報を、例えば、前記フラッシュメモリに記録する。
【００５４】
したがって、運転者は、操作部３４を操作して、配信情報を再生することができる。すなわち、ＣＰＵ３１の図示されない情報再生処理手段は、情報再生処理を行い、フラッシュメモリから配信情報を読み出し、例えば、表示部３５に映像画面を形成し、映像情報に従って映像を表示したり、音声出力部３７において、一般情報、例えば、ニュースデータに従ってニュースを出力したり、音楽情報に従って音楽を出力したりすることができる。
【００５５】
なお、前記ナビゲーション装置１４は、通信部３８を備えるので、車両をアクセスポイントが形成されたホットスポットの近傍の通信可能な区域を走行させる間に、無線ＬＡＮを形成するアクセスポイントにアクセスし、該アクセスポイントを介してナビゲーション装置１４をネットワーク４３に接続し、情報センタ６２との間において通信を行うことができる。したがって、前記配信情報をアクセスポイントを介して受信することができる。
【００５６】
ところで、前述されたように、経路が探索され、経路案内が開始された後に、車両を前記経路案内に従って走行させ、例えば、コンテンツ情報を再生している間に、車両が案内音声出力地点に到達するたびに、案内音声が出力されると、そのたびにコンテンツ情報の再生、例えば、音楽の出力が分断されてしまう。
【００５７】
そこで、車両が案内音声出力地点に到達すると、該案内音声出力地点に対応する案内音声が出力されるが、ＣＰＵ３１の図示されない案内音声調整処理手段は、案内音声調整処理を行い、コンテンツ情報を再生中であるかどうかを判断し、コンテンツ情報を再生中である場合、案内音声調整処理手段は、案内音声を調整する。
【００５８】
そのために、前記案内音声調整処理手段の第１の案内音声出力処理手段は、第１の案内音声出力処理を行い、コンテンツ情報の再生中に、優先度の高い案内音声について、車両が案内音声出力地点に到達したときに出力し、前記案内音声調整処理手段の第２の案内音声出力処理手段は、第２の案内音声出力処理を行い、コンテンツ情報の再生中に、優先度の低い案内音声について、車両が案内音声出力地点に到達する前に先行して出力する。
【００５９】
この場合、まず、前記案内音声調整処理手段は、ＲＯＭ３３にあらかじめ記録された図５に示される優先度テーブルを参照し、対応する案内音声に基づいて、前記案内音声出力地点が、優先度の高い案内音声を出力するための地点であるか、優先度の低い案内音声を出力するための地点であるかを判断する。
【００６０】
そして、前記案内音声出力地点が、優先度の高い案内音声を出力するための地点である場合、前記第１の案内音声出力処理手段は優先度の高い案内音声を出力する。このとき、前記第２の案内音声出力処理手段は、優先度の高い案内音声を出力する次の案内音声出力地点より手前に、優先度の低い案内音声を出力する案内音声出力地点が所定の距離、すなわち、Ｘ〔ｍ〕（例えば、２０００〔ｍ〕）以内にあるかどうかを判断し、Ｘ〔ｍ〕以内にある場合、前記優先度の低い案内音声を先行して、かつ、前記優先度の高い案内音声に続けて出力する。
【００６１】
なお、前記各案内音声の優先度は、図４に示される基準に基づいて、図５に示されるように設定される。前記基準においては、各案内音声に対応させて、案内音声出力地点を通過する際に、案内音声を出力して警告する必要性を表す警告必要度、及び案内音声を出力して経路を案内する必要性を表す案内必要度が設定される。例えば、踏切の通過の際の警告必要度は高く、交差点における右左折、レーンの変更、カーブの通過、目的地への到達等の際の警告必要度は低く設定される。また、交差点における右左折の際の案内必要度は高く、レーンの変更、カーブの通過、踏切の通過、目的地への到達等の際の案内必要度は低く設定される。
【００６２】
例えば、「７００ｍ先、右折です。」の案内音声に対しては、警告必要度が低く、案内必要度が高く設定され、「まもなく右レーンです。」の案内音声に対しては、警告必要度及び案内必要度が低く設定され、「まもなく目的地です。」の案内音声に対しては、警告必要度及び案内必要度が低く設定され、「この先に踏切があります。」の案内音声に対しては、警告必要度が高く、案内必要度が低く設定され、「カーブがあります。」の案内音声に対しては、警告必要度及び案内必要度が低く設定され、「５ｋｍ先、渋滞です。」の案内音声に対しては、警告必要度及び案内必要度が低く設定される。
【００６３】
そして、この場合、警告必要度及び案内必要度のうちの少なくとも一方が高い場合、案内音声の優先度が高く、警告必要度及び案内必要度がいずれも低い場合、案内音声の優先度が低く設定される。
【００６４】
すなわち、「７００ｍ先、右折です。」及び「この先に踏切があります。」の案内音声に対しては、優先度が高く設定され、「まもなく右レーンです。」、「まもなく目的地です。」、「カーブがあります。」及び「５ｋｍ先、渋滞です。」の案内音声に対しては、いずれも優先度が低く設定される。
したがって、図６に示されるように、コンテンツ情報を再生中でない場合には、案内音声出力地点ｐ１において、優先度の高い案内音声Ａ１（７００ｍ先、右折です）が、案内音声出力地点ｐ２において、優先度の低い案内音声Ｂ１（まもなく右レーンです）が、案内音声出力地点ｐ３において、優先度の低い案内音声Ｂ２（カーブがあります）が、案内音声出力地点ｐ４において、優先度が高い案内音声Ａ２（踏切があります、注意してください）が、案内音声出力地点ｐ５において、優先度の低い案内音声Ｂ３（目的地周辺です）が出力される。
【００６５】
これに対して、コンテンツ情報Ｃ１〜Ｃ３を再生中である場合には、案内音声出力地点ｐ１において、優先度の高い案内音声Ａ１（７００ｍ先、右折です）が出力されると、優先度の低い案内音声Ｂ１（１．５ｋｍ先、右レーンです）、Ｂ２（１．８ｋｍ先、カーブがあります）が続けて出力され、案内音声出力地点ｐ４において、優先度の高い案内音声Ａ２（踏切があります、注意してください）が出力されると、優先度の低い案内音声Ｂ３（９００ｍ先、目的地周辺です）が続けて出力される。
【００６６】
この場合、案内音声出力地点ｐ１において、案内音声出力地点ｐ２、ｐ３における案内音声Ｂ１、Ｂ２が続けて先行して出力され、案内音声出力地点ｐ４において、案内音声出力地点ｐ５における案内音声Ｂ３が続けて先行して出力されるので、案内音声中の距離の通知は、必要に応じて案内音声出力地点が変更された分だけ変更される。
【００６７】
このように、本実施の形態においては、コンテンツ情報Ｃ１〜Ｃ３を再生中に優先度の高い案内音声Ａ１、Ａ２が出力されると、優先度の低い案内音声Ｂ１〜Ｂ３が併せて出力されるので、コンテンツ情報Ｃ１〜Ｃ３の再生が経路案内によって繰り返し分断されるのを抑制することができる。
【００６８】
次に、フローチャートについて説明する。
ステップＳ１  経路が探索された後に経路案内を開始する。
ステップＳ２  案内音声出力地点に到達するのを待機し、案内音声出力地点に到達するとステップＳ３に進む。
ステップＳ３  案内音声を出力する。
ステップＳ４  コンテンツ情報を再生中であるかどうかを判断する。コンテンツ情報を再生中である場合はステップＳ５に進み、再生中でない場合は処理を終了する。
ステップＳ５  優先度の高い案内音声を出力する次の案内音声出力地点より手前に、優先度の低い案内音声を出力する案内音声出力地点がＸ〔ｍ〕以内にある場合、優先度の低い案内音声を続けて出力し、処理を終了する。
【００６９】
次に、本発明の第２の実施の形態について説明する。
【００７０】
図７は本発明の第２の実施の形態における情報再生システムの動作を示すフローチャート、図８は本発明の第２の実施の形態における経路案内方法を示す図である。
【００７１】
この場合、配信情報、例えば、複数のコンテンツ情報を再生するに当たり、各コンテンツ情報の区切り、例えば、音楽情報の場合には、曲と曲との間、すなわち、曲間を検出し、該曲間が検出された時点で、優先度の低い案内音声を出力する案内音声出力地点が所定の距離、すなわち、Ｘ〔ｍ〕（例えば、２０００〔ｍ〕）以内にあるかどうかを判断し、Ｘ〔ｍ〕以内にある場合、前記優先度の低い案内音声を先行して出力するようにしている。なお、優先度の高い案内音声については、第１の実施の形態と同様に、対応する案内音声出力地点で出力される。
【００７２】
そのために、移動端末装置としての、かつ、車載装置としてのナビゲーション装置１４（図２）において、経路案内処理が開始されるのに伴って、運転者が操作部３４を操作して、コンテンツ情報の再生を指示し、先行案内機能を選択すると、ＣＰＵ３１の前記情報再生処理手段は、コンテンツ情報の再生を開始し、コンテンツ情報の区切りを検出し、コンテンツ情報の区切りが検出されると、再生を一時停止させ、コンテンツ情報再生終了通知をＣＰＵ３１の前記経路案内処理手段に送信する。
【００７３】
一方、該経路案内処理手段は、コンテンツ情報再生終了通知を受信すると、優先度の低い案内音声を出力する案内音声出力地点がＸ〔ｍ〕以内にあるかどうかを判断し、Ｘ〔ｍ〕以内にある場合、前記優先度の低い案内音声を先行して出力する。そして、前記経路案内処理手段は、優先度の低い案内音声の出力が終了すると、案内音声出力終了通知を前記情報再生処理手段に送信する。
【００７４】
該情報再生処理手段は、案内音声出力終了通知を受信すると、コンテンツ情報の再生を再開する。
【００７５】
したがって、図８に示されるように、コンテンツ情報を再生中でない場合には、案内音声出力地点ｐ１において、優先度の高い案内音声Ａ１（７００ｍ先、右折です）が、案内音声出力地点ｐ２において、優先度の低い案内音声Ｂ１（まもなく右レーンです）が、案内音声出力地点ｐ３において、優先度の低い案内音声Ｂ２（カーブがあります）が、案内音声出力地点ｐ４において、優先度が高い案内音声Ａ２（踏切があります、注意してください）が、案内音声出力地点ｐ５において、優先度の低い案内音声Ｂ３（目的地周辺です）が出力される。
【００７６】
これに対して、コンテンツ情報Ｃ１〜Ｃ３を再生中である場合には、コンテンツ情報Ｃ１の再生が開始される前のタイミングで車両が位置する案内音声出力地点ｐ１１において、優先度の低い案内音声Ｂ１（１．５ｋｍ先、右レーンです）が出力され、案内音声Ｂ１の出力が終了すると、コンテンツ情報Ｃ１の再生が開始された後の、案内音声出力地点ｐ１において優先度の高い案内音声Ａ１（７００ｍ先、右折です）が出力され、コンテンツ情報Ｃ１の再生が終了したタイミングで車両が位置する案内音声出力地点ｐ１２において、優先度の低い案内音声Ｂ２（８００ｍ先、カーブがあります）が出力され、案内音声Ｂ２の出力が終了すると、コンテンツ情報Ｃ２の再生が開始され、コンテンツ情報Ｃ２の再生が終了したタイミングで車両が位置する案内音声出力地点ｐ１３において、優先度の低い案内音声Ｂ３（１ｋｍ先、目的地周辺です）が出力される。続いて、案内音声Ｂ３の出力が終了すると、コンテンツ情報Ｃ３の再生が開始され、案内音声出力地点ｐ４において優先度の高い案内音声Ａ２（踏切があります、注意してください）が出力される。
【００７７】
この場合、前記案内音声出力地点ｐ１１〜ｐ１２において案内音声Ｂ１〜Ｂ３が先行して出力されるので、案内音声中の距離の通知は、必要に応じて案内音声出力地点が変更された分だけ変更される。
【００７８】
このように、本実施の形態においては、各コンテンツ情報Ｃ１〜Ｃ３の区切りが検出された時点で、優先度の低い案内音声Ｂ１〜Ｂ３を先行して出力するようにしているので、コンテンツ情報Ｃ１〜Ｃ３の再生が経路案内によって繰り返し分断されるのを抑制することができる。
【００７９】
なお、コンテンツ情報がメールである場合、各メールの読上げごとに、ニュースである場合、ニュース１件ごとに、電子ブックである場合、章、段落又は文節ごとに区切りを検出することができる。
【００８０】
次に、フローチャートについて説明する。
ステップＳ１１  先行案内機能を開始する。
ステップＳ１２  コンテンツ情報再生終了通知を受信するのを待機し、コンテンツ情報再生終了通知を受信するとステップＳ１３に進む。
ステップＳ１３  優先度の低い案内音声を出力する案内音声出力地点がＸ〔ｍ〕以内にある場合、優先度の低い案内音声を先行して出力する。
ステップＳ１４  案内音声出力終了通知を送信し、リターンする。
ステップＳ１５  再生を開始する。
ステップＳ１６  コンテンツ情報の区切りが検出されるのを待機し、コンテンツ情報の区切りが検出されるとステップＳ１７に進む。
ステップＳ１７  再生を一時停止させる。
ステップＳ１８  コンテンツ情報再生終了通知を送信する。
ステップＳ１９  案内音声出力終了通知を受信するのを待機し、案内音声出力終了通知を受信するとステップＳ２０に進む。
ステップＳ２０  再生を再開し、リターンする。
【００８１】
なお、本発明は前記実施の形態に限定されるものではなく、本発明の趣旨に基づいて種々変形させることが可能であり、それらを本発明の範囲から排除するものではない。
【図面の簡単な説明】
【００８２】
【図１】本発明の第１の実施の形態におけるナビゲーションシステムを示すブロック図である。
【図２】本発明の第１の実施の形態におけるナビゲーション装置を示すブロック図である。
【図３】本発明の第１の実施の形態における情報再生システムの動作を示すフローチャートである。
【図４】本発明の第１の実施の形態における案内音声の優先度を設定する基準を示す図である。
【図５】本発明の第１の実施の形態における案内音声の優先度テーブルを示す図である。
【図６】本発明の第１の実施の形態における経路案内方法を示す図である。
【図７】本発明の第２の実施の形態における情報再生システムの動作を示すフローチャートである。
【図８】本発明の第２の実施の形態における経路案内方法を示す図である。
【符号の説明】
【００８３】
１４    ナビゲーション装置
１７    ナビゲーション処理部
３１、７１    ＣＰＵ
４３    ネットワーク
６１    パソコン
６２    情報センタ
６３    サーバ
Ｃ１〜Ｃ３コンテンツ情報
【図１】
2005181205.tif 000003
【図２】
2005181205.tif 000004
【図３】
2005181205.tif 000005
【図４】
2005181205.tif 000006
【図５】
2005181205.tif 000007
【図６】
2005181205.tif 000008
【図７】
2005181205.tif 000009
【図８】
2005181205.tif 000010